(57)【要約】【課題】  紙メディア上の予約コードのキー入力操作が煩わしいという問題や、キー入力操作の誤りによる番組の見逃しや録画の録り逃がしという問題を解決する。【解決手段】  紙メディアＰに表示された番組コード（Ｇコード１３、二次元コード１４など）を撮影することにより番組情報を認識し、認識した番組情報を番組予約データに変換して送信するカメラ付き携帯端末装置１１と、送信された番組予約データを受信し、該番組予約データに基づいて、視聴または録画の予約を管理し、予約の日時となったとき番組の視聴または録画を開始するビデオ装置１２と、を備える。【選択図】  図１
2006237753.tif 000002
【特許請求の範囲】
【請求項１】
表示された番組コードを撮影することにより番組情報を認識し、認識した前記番組情報を番組予約データに変換して送信するカメラ付き携帯端末装置と、
送信された番組予約データを受信し、該番組予約データに基づいて、視聴または録画の予約を管理し、予約の日時となったとき番組の視聴または録画を開始するビデオ装置と、
を備えることを特徴とする番組予約システム。
【請求項２】
前記ビデオ装置は、前記番組予約データを現在の日時と比較して、その番組が放送中である場合は、ただちに視聴または録画を開始することを特徴とする請求項１に記載の番組予約システム。
【請求項３】
前記番組コードは、当該番組が放送されるチャンネル、放送予定日、放送開始時間、放送終了時間の情報を含むことを特徴とする請求項１又は２に記載の番組予約システム。
【請求項４】
前記番組コードは、番組情報を数学的手段で圧縮した数字列であることを特徴とする請求項１〜３のいずれか１項に記載の番組予約システム。
【請求項５】
前記番組コードは、バーコードまたは２次元コードであることを特徴とする請求項１〜４のいずれか１項に記載の番組予約システム。
【請求項６】
前記番組コードは、当該番組が放送されるチャンネル、放送予定日、放送開始時間、放送終了時間を示す文字及び／又は数字であることを特徴とする請求項１〜４のいずれか１項に記載の番組予約システム。
【請求項７】
前記番組カメラ付き携帯端末装置は、無線伝送方式によって前記番組予約データを送信することを特徴とする請求項１〜６のいずれか１項に記載の番組予約システム。
【請求項８】
前記無線伝送方式は、赤外線、無線ＬＡＮ、Bluetoothのいずれかであることを特徴とする請求項７に記載の番組予約システム。
【請求項９】
前記番組カメラ付き携帯端末装置は、有線伝送方式によって前記番組予約データを送信することを特徴とする請求項１〜６のいずれか１項に記載の番組予約システム。
【請求項１０】
前記有線伝送方式は、ＵＳＢ、ＬＡＮ、電源ライン、ＩＥＥＥ１３９４のいずれかを用いたことを特徴とする請求項９に記載の番組予約システム。
【請求項１１】
表示された番組コードをカメラ付き携帯端末装置により撮影し、
撮影された前記番組コードから番組情報を認識し、
認識した前記番組情報を番組予約データに変換してビデオ装置に送信し、
前記ビデオ装置において、送信された前記番組予約データを受信し、視聴または録画の予約を管理して、予約の日時となったとき番組の視聴または録画を開始することを特徴とする番組予約方法。
【請求項１２】
番組コードを撮影する撮像部と、
撮影された前記番組コードを番組情報として認識する画像認識処理部と、
前記画像認識処理部で認識された番組情報を、ビデオ装置に応じたデータに変換した番組予約データとして前記ビデオ装置に送信するデータ送信部と、
を備えることを特徴とするカメラ付き携帯端末装置。
【請求項１３】
撮影された画像と、前記画像認識処理部で認識された番組情報と、を同時に表示可能であることを特徴とする請求項１２に記載のカメラ付き携帯端末装置。
【請求項１４】
カメラ付き携帯端末装置のデータ送信部から送信された番組予約データを受信するデータ受信部と、
前記データ受信部で受信した番組予約データの視聴または録画の番組予約を管理する番組予約データ管理部と、
を有し、番組予約の日時となったとき番組の視聴または録画を開始可能にすることを特徴とするビデオ装置。
【請求項１５】
前記ビデオ装置は、前記番組予約データを現在の日時と比較して、その番組が放送中である場合は、ただちに視聴または録画を開始することを特徴とする請求項１４に記載のビデオ装置。
【発明の詳細な説明】
【技術分野】
【０００１】
本発明は、番組の視聴や録画の番組予約を行う番組予約システム、番組予約方法、カメラ付き携帯端末装置およびビデオ装置に関する。
【背景技術】
【０００２】
テレビ番組情報は、新聞やテレビ雑誌のガイドに記載の番組表によって提供されている。一方、視聴番組予約を行う場合には、視聴者は、これらの新聞やテレビ雑誌ガイドの番組表を見て、視聴を希望する番組を探し出し、その番組の放送予定日、放送時間、局チャンネル等を調べる。また、付属のリモートコントローラを操作し、テレビ画面に映し出されるユーザインタフェースを見ながら前記放送予定日、放送時間、局チャンネルなどをキー入力する。これにより番組予約した時間になると、テレビ受像機の電源が自動的に入り、テレビ番組の視聴が可能になる。
また、録画機器で番組の録画番組予約をする場合にも、前記視聴番組予約と略同様の操作・手順をとる。このため、視聴や録画の番組予約には、視聴者等に煩雑な機器操作が要求される。
【０００３】
これに対し、今日では、視聴番組予約や録画番組予約に関する前記番組予約情報（局チャンネル、放送予定日、放送開始時間など）を数学的手段で圧縮してＧコードに変換したものが、新聞等の放送番組に付与されている。ユーザはこのＧコードを読み取り、リモートコントローラにキー入力することで、このリモートコントローラを介し、ビデオ装置であるテレビ受像機や録画機器に対し視聴番組予約や録画番組予約を行えるようになった（例えば、特許文献１参照）。
【特許文献１】特開平６−１０３６４１号公報
【発明の開示】
【発明が解決しようとする課題】
【０００４】
しかしながら、このような従来のリモートコントローラを用いたビデオ装置の番組予約方法では、Ｇコード等の目視による読み取りと、読み取ったＧコードのリモートコントローラにおけるキー操作が必要となり、その操作が複雑で煩わしいという問題があった。また、キー入力操作の誤りによって、番組予約で指定した時間になっても番組の放映や録画がされなかったり、番組予約した番組を見逃してしまったり、録り逃がしてしまったりするなどの不都合があった。
【０００５】
本発明が解決しようとする課題としては、上述した従来技術において生じている紙メディア上のＧコード等の読み取りおよびキー入力の操作が煩わしいという問題の解決や、キー入力操作の誤りによる番組の見逃しや録画の録り逃がしという問題の解決などがそれぞれ一例として挙げられる。
【課題を解決するための手段】
【０００６】
請求項１記載の番組予約システムは、表示された番組コードを撮影することにより番組情報を認識し、認識した前記番組情報を番組予約データに変換して送信するカメラ付き携帯端末装置と、送信された番組予約データを受信し、該番組予約データに基づいて、視聴または録画の予約を管理し、予約の日時となったとき番組の視聴または録画を開始するビデオ装置と、を備えることを特徴とする。
【０００７】
請求項１１記載の番組予約方法は、表示された番組コードをカメラ付き携帯端末装置により撮影し、撮影された前記番組コードから番組情報を認識し、認識した前記番組情報を番組予約データに変換して前記ビデオ装置に送信し、前記ビデオ装置において、送信された前記番組予約データを受信し、視聴または録画の予約を管理して、予約の日時となったとき番組の視聴または録画を開始することを特徴とする。
【０００８】
請求項１２記載のカメラ付き携帯端末装置は、番組コードを撮影する撮像部と、撮影された前記番組コードを番組情報として認識する画像認識処理部と、前記画像認識処理部で認識された番組情報を、ビデオ装置に応じたデータに変換した番組予約データとして前記ビデオ装置に送信するデータ送信部と、を備えることを特徴とする。
【０００９】
請求項１４記載のビデオ装置は、カメラ付き携帯端末装置のデータ送信部から送信された番組予約データを受信するデータ受信部と、前記データ受信部で受信した番組予約データの視聴または録画の番組予約を管理する番組予約データ管理部と、を有し、番組予約の日時となったとき番組の視聴または録画を開始可能にすることを特徴とする。
【発明を実施するための最良の形態】
【００１０】
以下に、本発明に係る番組予約システム、番組予約方法、カメラ付き携帯端末装置およびビデオ装置の実施の形態について、図面を参照して詳細に説明する。
図１は、本発明の実施の形態に係る番組予約システム１０の構成を示す概念図である。
図１に示すように、番組予約システム１０は、紙メディアＰ等に表示された番組コードを撮影し、撮影された番組コードを番組予約情報として認識し、認識した番組予約情報をビデオ装置に応じた番組予約データに変換して送信するカメラ付き携帯端末装置１１と、送信された前記番組予約データを受信し、該番組予約データの視聴または録画の番組予約を管理することにより、番組予約の日時となったとき視聴または録画を開始するビデオ装置１２（本発明において“ビデオ装置”とは、ＴＶ受像機，ＶＴＲ，ＤＶＤレコーダ，ＨＤＤレコーダ，これらの複合機器などを含むものとする）と、からなる。
【００１１】
紙メディアＰは、例えば、新聞のテレビ欄や番組ガイド誌などであり、ここに表示される番組のコードには、当該番組が放送されるチャンネル、放送予定日、放送開始時間、放送終了時間などの番組情報を数学的手段で圧縮した数字列からなるＧコード１３や、二次元コード１４（二次元の画素を符号化したＱＲコードなど）や、白線と黒線の組み合わせからなるバーコード（図示せず）などがある。あるいは、当該番組が放送されるチャンネル、放送予定日、放送開始時間、放送終了時間などの番組の番組情報は、文字、数字で書かれていてもよい。
【００１２】
また、カメラ付き携帯端末装置１１は、例えばカメラ付き携帯電話やカメラ付きＰＤＡ（Personal Digital Assistant）などである。このカメラ付き携帯端末装置１１は、ビデオ装置１２に付属するリモートコントローラと同様のリモートコントロール機能（通信機能）と、画像認識処理を行う画像認識処理部の文字・図形認識機能とを併せ有する。
【００１３】
図２は、このカメラ付き携帯端末装置１１の構成を示すブロック図である。このカメラ付き携帯端末装置１１は、撮像部１５と、画像認識処理部１６と、画像表示部１７と、中央演算処理部１８と、画像メモリ部１９と、キー入力部２０と、データ送信部２１とを有する。
【００１４】
撮像部１５は、例えばＣＣＤ（Capacitor Coupled Device）を用いて構成され、その解像度は紙メディアＰ上に印刷されたＧコード１３やＱＲコードなどの番組予約コードを図形として十分明瞭に認識できる値に設定される。画像表示部１７は、撮像部１５で撮影する対象を決めるためのプレビュー画像の表示や、撮影して画像メモリ部１９に取り込まれた画像データを表示する。
【００１５】
画像認識処理部１６は、ＪＰＥＧ（Joint Photographic Experts Group）またはＰＮＧ（Portable Network Graphics）等の静止画圧縮処理を行うとともに、文字や図形の認識機能を持つ。中央演算処理部１８は、前記撮像部１５、画像認識処理部１６および画像表示部１７の各動作を制御するように機能する。画像メモリ部１９は、撮像部１５で撮影した画像や画像認識処理部１６で認識した画像を、一時的に記憶するように機能する。また、文字や図形の認識機能は中央演算処理部のプログラムで実現してもよい。
【００１６】
キー操作部２０は、ユーザからの画像取り込み(撮影）のためのシャッター操作や、データ送信部２１のデータ送信のための操作等に用いられる。さらに、画像取り込み操作に対して、これをキャンセル（取り込み解除）するためのキーを、キー操作部２０に設けてもよい。
【００１７】
データ送信部２１は、ビデオ装置に応じた番組予約データに変換された番組予約情報をビデオ装置１２に転送するように機能する。
【００１８】
データ送信部２１のデータ伝送方式は赤外線によるデータ伝送方式のほか、電波（例えば、Bluetoothなど）や超音波等による無線伝送方式、ＵＳＢやＬＡＮ，電源ラインを用いた通信等の有線伝送方式を用いることができる。
【００１９】
通常のビデオ装置１２（ＴＶ受像機，ＶＴＲ，ＤＶＤレコーダ，ＨＤＤレコーダ，これらの複合機器などを含む）は赤外線によるリモートコントローラを使用しているので、データ送信部２１のデータ伝送方式を赤外線とすれば、ビデオ装置１２の既存の受信部（赤外線受信部）を使用することができるので、データ受信部を新たに設けなくてもよい。
【００２０】
次に、中央演算処理部１８の制御下で実施される番組予約システムにおけるカメラ付き携帯端末装置１１の動作を、図３のフローチャートを参照して説明する。
【００２１】
まず、キー操作部２０において、ユーザより画像取り込みの操作キーが操作され、撮像部１５のカメラが動作モードとなる（ステップＳ１）。この動作モードでは、アイリス制御により光量調節を行い(ステップＳ２）、続いてフォーカス制御によりレンズの焦点を合わせる（ステップＳ３）。
【００２２】
また、ユーザのシャッター操作にもとづく画像取り込み命令受信があったか否かを判定し(ステップＳ４）、画像取り込み命令受信が無い場合には、再びアイリス制御以下の処理を繰返す。一方、画像取り込み命令受信があった場合には、撮像部１５を通じて撮像制御を実施し（ステップＳ５）、撮影した画像データを画像メモリ部１９に記録する（ステップＳ６）。
【００２３】
次に、撮像部１５により撮影され、画像メモリ部１９に記録された画像を番組予約情報に変換するコード変換命令があるか否かを判定する(ステップＳ７）。
【００２４】
コード変換命令が無い場合には、画像メモリ部１９を開放して(ステップＳ８）、ステップＳ２以下の処理を再実行する。一方、コード変換命令があった場合には、続いて撮影された画像から番組コードであるＧコード１３、ＱＲコード１４、バーコード等の図形，文字，数字を認識したか否かを調べる(ステップＳ９）。
【００２５】
ステップＳ９で番組コードの図形，文字，数字を認識できなければステップＳ８以下の処理を再実行する。一方、番組コードの認識ができた場合には、番組予約情報（当該番組が放送されるチャンネル、放送予定日、放送開始時間、放送終了時間など）にコード変換して、これを画像表示部１７上に表示する(ステップＳ１０）。この表示の際に、撮影した画像そのものも同時に表示し、ユーザが撮影した画像に間違い無いかを確認できるようにしてもよい。
【００２６】
ここで、撮影された画像を画像認識処理部１６が数学的手段で圧縮した数字列（Ｇコード１３）であると認識処理した場合には、この結果を中央演算処理部１８に送信し、郵便番号読み取りのような技術により数字を認識して番組予約情報とする。また、撮影された画像がＱＲコード１４やバーコードであると認識処理した場合には、この結果を中央演算処理部１８に送信し、数値化して番組予約情報とする。
あるいは、当該番組が放送されるチャンネル、放送予定日、放送開始時間、放送終了時間そのものの数字及び文字であった場合、これらの数字及び文字を認識できるならば、この結果を中央演算処理部１８に送信し、数値化して番組予約情報とする。
【００２７】
次に、キー入力の待ち状態となる（ステップＳ１１）。ユーザは、画像表示部１７に表示された番組予約情報を見て、この番組予約情報を送信先のビデオ装置に応じた番組予約データに変換して送信するか否かを判断し、送信する場合にはキー操作部２０の送信キーを押し、送信しない場合は、他のキー（戻るキーや送信キャンセルキーなど）を押す。
【００２８】
中央演算処理部１８は、キー操作部２０の送信キーが押されたか否か、すなわち、番組予約データの送信命令があるか否かを調べ（ステップＳ１２）、番組予約データの送信命令がない場合（Ｎｏ）には、番組予約情報の表示を解除して(ステップＳ１３）、番組予約情報のデータ及び画像メモリ部１９を開放し（ステップＳ８）、ステップＳ２以下の処理を実行する。一方、前記送信命令があった場合（Ｙｅｓ）には、番組予約データの送信処理(ステップＳ１４）を実行し、ステップＳ１１に戻りキー入力を待つ。
【００２９】
このように、本実施の形態では、新聞や雑誌などの紙メディアＰに表示された番組コード（Ｇコード１３、ＱＲコード１４、バーコード等）に対し、これをカメラ付き携帯端末装置１１に取り込んで画像分析し、番組の番組予約情報を得てビデオ装置１２に転送することで、画像認識処理機能を持つ携帯端末装置１１を利用して、迅速かつ正確にビデオ装置１２への番組予約情報の入力、設定を実現することができる。
【００３０】
図４は、ビデオ装置１２の一例であるテレビ受像機の詳細を示すブロック図である。このテレビ受像機１２（ビデオ装置）は、一般的なリモートコントロール対応のテレビ受像機１２であり、これに番組視聴予約機能が付与されている。このテレビ受像機１２は、データ受信部２２と、番組予約データ管理部２３と、中央演算処理部２４と、テレビ信号受信部２５と、グラフィックス描画重畳部２６と、映像表示部２７とを有する。
【００３１】
データ受信部２２は、カメラ付き携帯端末装置１１のデータ送信部２１から送信された番組予約データを、無線方式または有線方式の通信にて受信するように機能する。
番組予約データ管理部２３は、受信した番組予約データをテレビ受像機１２で使用可能なデータに変換（解読）するなどして、タイマーによる設定タイミングで、番組予約信号を生成、出力するように機能する。
【００３２】
中央演算処理部２４は、番組予約データ管理部２３から番組予約信号を受けて、テレビ信号受信部２５およびグラフィックス描画重畳部２６を制御するように機能する。テレビ信号受信部２５は、番組予約データ管理部２３からの番組予約信号を受けて、放送局から配信されるテレビ信号を受信するように機能する。
【００３３】
グラフィックス描画重畳部２６は、番組予約データ管理部２３からの番組予約信号を受けて、テレビ信号受信部２５から出力されるテレビ信号に番組予約情報（当該番組が放送されるチャンネル、放送予定日、放送開始時間、放送終了時間など）のグラフィックス描画を重畳するように機能する。映像表示部２７は、そのテレビ信号に重畳してグラフィックス描画した番組予約情報を表示するように機能し、これにより、テレビ映像などが表示された画面上で番組予約情報のグラフィックス表示を看取または確認可能にしている。
【００３４】
また、番組予約確認のためのユーザインタフェースを扱うグラフィックス描画重畳部２６は、高機能の三次元グラフィックスのほか、ＯＳＤ（On Screen Display）でも、本実施の形態に適用可能である。
【００３５】
次に、中央演算処理部２４の制御下で実行される、番組予約システムにおけるビデオ装置１２の動作を、図５に示すフローチャートを参照して説明する。
【００３６】
まず、映像表示部２７の画面が番組予約設定画面になっているか否かを調べる(ステップＳ２１）。番組予約設定画面になっている場合には、テレビ受像機１２をリモートコントロール受信の待機モードにする(ステップＳ２２）。
【００３７】
次に、番組予約データを受信したか否かを調べ（ステップＳ２３）、番組予約データを受信していない場合には、番組予約設定が終了かキャンセルかを調べ(ステップＳ２４）、番組予約設定が終了かキャンセルである場合には、ステップＳ２２以下の処理を繰り返す。
【００３８】
一方、ステップＳ２３で、番組予約データを受信している場合には、番組予約データ管理部２３で番組予約登録の処理を行う(ステップＳ２５）。
【００３９】
次に、この番組予約登録が成功か否かを調べ(ステップＳ２６）、番組予約登録に成功した場合には、中央演算処理部２４が番組予約情報を受けてテレビ信号受信部２５およびグラフィックス描画重畳部２６を制御する。これにより、画像表示部１７に番組予約画面表示の更新を行う（ステップＳ２７）。
なお、テレビ受像機１２は、番組予約データを現在の日時と比較して、その番組が放送中である場合は、ただちに視聴を開始する。
【００４０】
なお、本実施の形態では、テレビ受像機１２に対するデータ通信方式として赤外線リモートコントロール技術を利用する場合について説明したが、電波（例えば、無線ＬＡＮやBluetoothなど）や超音波等による無線伝送方式、ＵＳＢやＬＡＮ，電源ライン、ＩＥＥＥ１３９４、ＲＳ−２３４Ｃなどの２線式若しくは４線式シリアル通信を用いた通信等の有線伝送方式を用いてもよい。
また、本実施の形態では、ビデオ装置１２の一例として、視聴番組予約機能が付与されたテレビ受像機１２を挙げたが、本発明に適用できるビデオ装置１２は、ＶＴＲ，ＤＶＤレコーダ，ＨＤＤレコーダ，これらの複合機器などでもよく、番組視聴予約機能以外にも、録画予約機能を付加してもよい。
【００４１】
以上詳述したように、本実施の形態にかかる番組予約システムは、紙メディアＰに表示された番組コード（Ｇコード１３、二次元コード１４など）を撮影することにより番組情報を認識し、認識した番組情報を番組予約データに変換して送信するカメラ付き携帯端末装置１１と、送信された番組予約データを受信し、該番組予約データに基づいて、視聴または録画の予約を管理し、予約の日時となったとき番組の視聴または録画を開始するビデオ装置１２と、を備える。
これにより、紙メディアＰ上の番組コードの読み取りおよびキー入力の操作が煩わしいという問題の解決や、キー入力操作の誤りによる番組の見逃しや録画の録り逃がしという問題の解決することができる。
【００４２】
また、本実施の形態に係る番組予約方法は、紙メディアＰなどに表示された番組コード（Ｇコード１３、二次元コード１４など）をカメラ付き携帯端末装置１１により撮影し、撮影された番組コードから番組情報を認識し、認識した番組情報を番組予約データに変換してビデオ装置１２に送信し、ビデオ装置１２において、送信された番組予約データを受信し、視聴または録画の予約を管理して、予約の日時となったとき番組の視聴または録画を開始する。
これにより、紙メディアＰ上の番組コードの読み取りおよびキー入力の操作が煩わしいという問題の解決や、キー入力操作の誤りによる番組の見逃しや録画の録り逃がしという問題の解決することができる。
【００４３】
また、本実施の形態に係るカメラ付き携帯端末装置１１は、番組コードを撮影する撮像部と、撮影された前記番組コードを番組情報として認識する画像認識処理部と、前記画像認識処理部で認識された番組情報を、ビデオ装置に応じたデータに変換した番組予約データとしてビデオ装置に送信するデータ送信部と、を備える。
このカメラ付き携帯端末装置１１を使用して、ビデオ装置１２の番組の視聴または録画予約を行うことができるので、従来のリモートコンローラにキー入力するという煩わしい作業をなくすることができ、ビデオ装置１２に対する番組予約を、速やかに実施することができる。
【００４４】
また、本実施の形態に係るビデオ装置１２は、カメラ付き携帯端末装置１１のデータ送信部２１から送信された番組予約データを受信するデータ受信部２２と、データ受信部２２で受信した番組予約データの視聴または録画の番組予約を管理する番組予約データ管理部２３と、を有し、番組予約の日時となったとき番組の視聴または録画を開始可能にする。
よって、カメラ付き携帯端末装置１１から送信される番組予約データに従った番組予約日時にビデオ装置１２を動作させ、番組の視聴または録画を開始させ、また必要に応じ終了させることができる。
【図面の簡単な説明】
【００４５】
【図１】本発明の実施の形態にかかる番組予約システムを示す概念図である。
【図２】本発明の実施の形態にかかる番組予約システムを構成するカメラ付き携帯端末装置のブロック図である。
【図３】図２に示すカメラ付き携帯端末装置の情報処理手順を示すフローチャートである。
【図４】本発明の実施の形態にかかる番組予約システムを構成するビデオ装置のブロック図である。
【図５】図４に示すビデオ装置の情報処理手順を示すフローチャートである。
【符号の説明】
【００４６】
１０  番組予約システム
１１  カメラ付き携帯端末装置
１２  ビデオ装置（テレビ受像機）
１３  Ｇコード(番組コード）
１４  ＱＲコード(番組コード）
１５  撮像部
１６  画像認識処理部
１７  画像表示部
１８  中央演算処理部
２０  キー操作部
２１  データ送信部
２２  データ受信部
２３  番組予約データ管理部
２４  中央演算処理部
２５  テレビ信号受信部
２６  グラフィックス描画重畳部
２７  映像表示部
【図１】
2006237753.tif 000003
【図２】
2006237753.tif 000004
【図３】
2006237753.tif 000005
【図４】
2006237753.tif 000006
【図５】
2006237753.tif 000007